(57)【特許請求の範囲】
【請求項１】
標準時の信号を含む電波を受信する電波受信部と、
前記電波に基づいて時間が補正される時計部と、
デバイスに関する第１識別情報と、前記時計部から取得する第１時間を示す第１時間情報と、に基づいて、第１コードを生成する第１コード生成部と、
前記第１コード生成部で生成された前記第１コードと、前記第１時間において前記デバイスの操作者が入力部に入力した第２コードと、を照合する照合部と、
前記照合部において前記第１コードと前記第２コードとが一致すると判定された場合、所定の施錠機構を開錠する開錠部と、
を備え、
前記第２コードは、前記デバイスに関連する第２識別情報と、前記操作者が前記デバイスを操作する予定の第２時間を示す第２時間情報と、に基づいて生成されたコードであり、
他の装置と通信しないようオフラインで運用される、
錠装置。
【請求項２】
前記デバイスに関連する物件の扉を開錠するための開錠具を収容する収容部
をさらに備え、
前記開錠部は、前記照合部において前記第１コードと前記第２コードとが一致すると判定された場合、前記収容部に設けられる前記所定の施錠機構を開錠する
請求項１に記載の錠装置。
【請求項３】
前記開錠部は、前記照合部において前記第１コードと前記第２コードとが一致すると判定された場合、前記デバイスに関連する物件の扉に設けられる前記所定の施錠機構を開錠する
請求項１に記載の錠装置。
【請求項４】
前記開錠部は、前記照合部において前記第１コードと前記第２コードとが一致すると判定された場合、前記デバイスに関連する南京錠に設けられる前記所定の施錠機構を開錠する
請求項１に記載の錠装置。
【請求項５】
前記電波受信部は、前記時計部に着脱可能に設けられる
請求項１乃至請求項４の何れか一項に記載の錠装置。
【請求項６】
請求項１乃至請求項５の何れか一項に記載の錠装置と、
前記デバイスに関連する第２識別情報と、前記操作者が前記デバイスを操作予定の第２時間を示す第２時間情報と、に基づいて、前記第２コードを生成する第２コード生成装置と
を備える錠システム。
【請求項７】
コンピュータに、
標準時の信号を含む電波を受信することと、
前記電波に基づいて時計部の時間を補正することと、
デバイスに関する第１識別情報と、前記時計部から取得する第１時間を示す第１時間情報と、に基づいて、第１コードを生成することと、
生成された前記第１コードと、前記第１時間において前記デバイスの操作者が入力部に入力した第２コードと、を照合することと、
前記第１コードと前記第２コードとが一致すると判定することと、
一致すると判定した場合、所定の施錠機構を開錠することと、
を実現させ、
前記第２コードは、前記デバイスに関連する第２識別情報と、前記操作者が前記デバイスを操作する予定の第２時間を示す第２時間情報と、に基づいて生成されたコードであり、
他の装置と通信しないようオフラインで運用することを、
を実現させるプログラム。
【請求項８】
第１コンピュータが、
デバイスに関連する識別情報と、前記デバイスの操作者が前記デバイスを操作する予定の時間を示す操作予定時間情報と、に基づいて、認証コードを生成する第１ステップと、
第２コンピュータが、
標準時の信号を含む電波を受信する第２ステップと、
前記電波に基づいて時計部の時間を補正する第３ステップと、
前記デバイスに関する識別情報と、前記時計部から取得する所定の時間を示す時間情報と、に基づいて、照合コードを生成する第４ステップと、
前記第４ステップで生成された前記照合コードと、前記所定の時間において前記デバイスの操作者が入力部に入力した前記認証コードと、を照合する第５ステップと、
前記第５ステップにおいて前記認証コードと前記照合コードとが一致すると判定された場合、所定の施錠機構を開錠する第６ステップと、
を実現し、
前記第２コンピュータが他の装置と通信しないようオフラインで運用されること、
を実現する開錠方法。
【発明の詳細な説明】
【技術分野】
【０００１】
本発明は、錠装置、錠システム、プログラム、及び開錠方法に関する。
【背景技術】
【０００２】
従来から、例えば特許文献１に記載されているように、居住者が使用する鍵情報と家事代行サービス業者などの被許可者とが使用する鍵情報を異ならせることで、被許可者における錠の解錠に制約を加えるシステムが知られている。
【先行技術文献】
【特許文献】
【０００３】
【特許文献１】特開２０１１―１０２４８３号公報
【発明の概要】
【発明が解決しようとする課題】
【０００４】
特許文献１に記載のシステムでは、カードキーなどの認証媒体の鍵情報が制限情報の鍵情報と一致し、かつ当該鍵情報を読み取った日時が制限情報の日時の範囲内である場合、電子錠を解錠する。これにより居住者が被許可者に許可を与えていない日時の範囲においては、当該認証媒体を用いて住居に侵入されることを防止できる。
【０００５】
しかしながら、特許文献１に記載のシステムでは、被許可者に紐づく制限情報を逐次変更しなければならずシステム管理が煩雑になる虞があった。
【０００６】
そこで、本発明は、上記の課題を解決するために、標準時の信号を含む電波に基づいて補正される正確な時間に応じて自動的に変更されるパスワードを所定の対象者に付与することによって、パスワードを与えられた対象者が所定の時間に所定の施錠機構を開錠できるよう構成する。
【課題を解決するための手段】
【０００７】
本発明の一態様に係る錠装置は、デバイスに関する第１識別情報と、標準時の信号を含む電波に基づいて時間が補正される時計部から取得する第１時間を示す第１時間情報と、に基づいて、第１コードを生成する第１コード生成部と、前記第１コード生成部で生成された前記第１コードと、前記第１時間において前記デバイスの操作者が入力部に入力した第２コードと、を照合する照合部と、前記照合部において前記第１コードと前記第２コードとが一致すると判定された場合、所定の施錠機構を開錠する開錠部と、を備える。
【０００８】
本発明の一態様に係る開錠方法は、第１コンピュータが、物件に基づく識別情報と、前記デバイスの操作者が操作する予定の時間を示す操作予定時間情報と、に基づいて、認証コードを生成する第１ステップと、第２コンピュータが、前記物件に紐づくデバイスに関する識別情報と、標準時の信号を含む電波に基づいて時間が補正される時計部から取得する所定の時間を示す時間情報と、に基づいて、照合コードを生成する第２ステップと、前記第２ステップで生成された前記照合コードと、前記所定の時間において前記デバイスの操作者が入力部に入力した前記認証コードと、を照合する第３ステップと、前記第３ステップにおいて前記認証コードと前記照合コードとが一致すると判定された場合、所定の施錠機構を開錠する第３ステップと、を実現する。
【０００９】
本発明の一態様に係るプログラムは、コンピュータに、デバイスに関する第１識別情報と、標準時の信号を含む電波に基づいて時間が補正される時計部から取得する第１時間を示す第１時間情報と、に基づいて、第１コードを生成することと、生成された前記第１コードと、前記第１時間において前記デバイスの操作者が入力部に入力した第２コードと、を照合することと、前記第１コードと前記第２コードとが一致すると判定することと、一致すると判定した場合、所定の施錠機構を開錠することと、を実現させる。
【発明の効果】
【００１０】
本発明によれば、標準時の信号を含む電波に基づいて自動的に補正される正確な時間に応じて自動的に変更されるコードを対象者に付与することによって、装置に対する時間の初期設定にかかる作業員の手間を軽減でき、該コードを用いて所定の時間に所定の施錠機構が開錠されるよう運用できるため不動産管理におけるセキュリティの向上が図れる。
【図面の簡単な説明】
【００１１】
【図１】錠システムの処理の概要を示す図である。
【図２】認証サーバ装置の機能構成の一例を示す図である。
【図３】物件情報テーブルの一例を示す図である。
【図４】コンピュータのハードウェア構成の一例を示す図である。
【図５】錠装置の機能構成の一例を示す図である。
【図６】デバイス情報テーブルの一例を示す図である。
【図７】錠装置のハードウェア構成の一例を示す図である。
【図８】錠装置の取り付け状況の一例を示す図である。
【図９】錠装置のハードウェア構成の他の一例を示す図である。
【図１０】錠装置のハードウェア構成の他の一例を示す図である。
【図１１】錠装置のハードウェア構成の他の一例を示す図である。
【図１２】錠装置のハードウェア構成の他の一例を示す図である。
【図１３】錠装置の処理の一例を示すフロー図である。
【発明を実施するための形態】
【００１２】
以下に、本発明の一実施形態における錠システム１について、図面を参照して詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形し、または各実施例を組み合わせる等して実施することができる。また、以下の図面の記載において、同一または類似の部分には同一または類似の符号を付して表している。
＝＝＝錠システム１の概要＝＝＝
【００１３】
図１は、錠システム１の概要を示す図である。図１を参照して錠システム１の概要について説明する。
【００１４】
図１に示すように、錠システム１は、認証サーバ装置１０、錠装置２０を含む。
【００１５】
認証サーバ装置１０（第２コード生成装置）は、物件の見学者に対して、見学予定時間に応じたパスワード（以下、「認証コード」という。）を発行する。物件とは例えばマンションや戸建てなどの不動産をいう。見学者とは例えば該物件を見学する者という。見学予定時間とは例えば見学者が物件を見学する予定の時刻、日時、期間をいう。認証コードを有する見学者は、見学予定時間に物件に来訪し、該認証コードを錠装置２０に入力する。
【００１６】
錠装置２０は、物件に設けられ、現在時間に応じたパスワード（以下、「照合コード」という。）を生成する。現在時間とは例えば現在の時刻や日時をいう。錠装置２０は、照合コードと認証コードを照合し、照合コードと認証コードとが一致した場合、見学者に鍵を提供するよう所定の施錠機構を開錠する。
【００１７】
以下、図１を参照して、錠システム１の処理の概要について説明する。
【００１８】
Ｓ１において、錠システム１の管理者は、物件に関する物件情報と、物件に紐づく錠装置２０に関するデバイス情報とを認証サーバ装置１０に予め登録する。
【００１９】
Ｓ２において、物件の見学者は、例えば端末装置を介して、見学予定の物件に関する見学物件情報と見学予定時間に関する見学予定時間情報を認証サーバ装置１０に入力する。
【００２０】
Ｓ３において、認証サーバ装置１０は、見学物件情報と、見学予定時間情報とに基づいて認証コード（所謂ワンタイムパスワード）を生成する。認証コードを生成する処理については後述する。
【００２１】
Ｓ４において、見学者は、例えば端末装置を介して、認証サーバ装置１０から認証コードを取得する。なお、見学者は端末装置を介さず紙に出力された認証コードを管理者から取得してもよい。
【００２２】
Ｓ５において、見学者は、見学予定時間に物件を訪れ、認証コードを物件に対応する錠装置２０に入力する。認証コードの入力ついては後述する。
【００２３】
Ｓ６において、錠装置２０は、自己のデバイス情報と、見学者が訪れた現在時間とに基づいて照合コード（所謂ワンタイムパスワード）を生成する。照合コードを生成する処理については後述する。
【００２４】
Ｓ７において、錠装置２０は、生成した照合コードと入力された認証コードとを照合する。各コードを照合する処理については後述する。
【００２５】
Ｓ８において、錠装置２０は、照合コードと認証コードとが一致すると判定した場合、例えば物件の鍵を収容する収容部２９の施錠機構２９ｂを開錠する。これにより見学者は物件の鍵３００を取得できる。
【００２６】
上述した一連の処理により、見学者の見学予定時間に基づいて認証コードを生成し、見学者が見学した現在時間に基づいて照合コードを生成し、認証コードと照合コードとを照合することで、正規の見学者に物件の鍵を提供できる。これにより、管理者による見学者への鍵の引き渡しなどの諸対応を簡素化できるとともに、不動産管理におけるセキュリティを向上できる。さらに、認証サーバ装置１０と錠装置２０との間の通信が不要なためシステム設計を簡素化できる。
【００２７】
以下、認証サーバ装置１０および錠装置２０について詳細に説明する。
＝＝認証サーバ装置１０の構成＝＝
＜＜機能構成＞＞
【００２８】
図２は、認証サーバ装置１０の機能構成の一例を示す図である。図２を参照して、認証サーバ装置１０の機能構成について説明する。なお、本実施形態において、認証サーバ装置１０は全ての機能が一の装置に備えられる場合について説明するが、該機能の一部が分離可能であってもよい。
【００２９】
認証サーバ装置１０は、例えば、記憶部１１、取得部１２、デバイス特定部１３、認証コード生成部１４、送信部１５を含む。
【００３０】
記憶部１１は、物件情報テーブル１１ａを含む。図３を参照して、物件情報テーブル１１ａのデータ構造について説明する。図３は、物件情報テーブル１１ａの一例を示す図である。物件情報テーブル１１ａは、例えば物件を識別する物件ＩＤなどの適宜な項目を主キーとして、物件名、物件の位置、物件の施錠方法、デバイスＩＤなどからなるレコードの集合体である。物件名とは物件の名称を示すデータである。物件の位置とは物件の所在地を示すデータである。物件の施錠方法とは例えば物件が扉や南京錠で施錠されているなどの施錠方法を示すデータである。デバイスＩＤとは該物件と紐づく錠装置２０を識別する識別符号である。物件情報テーブル１１ａは例えば管理者が入力する情報に応じて更新される。
【００３１】
取得部１２は、管理者や見学者から入力される各種情報を取得する。
【００３２】
デバイス特定部１３は、物件情報テーブル１１ａを参照して、見学者から取得する見学物件情報に基づいて見学者が見学する物件の物件ＩＤ、および該物件ＩＤに紐づくデバイスＩＤを特定する。
【００３３】
認証コード生成部１４は、見学予定時間情報と特定されたデバイスＩＤとを所定のアルゴリズムに入力して、認証コード（第２コード）を生成する。認証コードは、例えば見学予定時間に同期する時間同期型のワンタイムパスワードである。これによりパスワードの漏洩リスクを軽減できる。ここで、見学予定時間とは、例えば所定の時間幅を有する時間や期間である。すなわち、認証コード生成部１４では、例えば見学予定時間の時間範囲内において、同一のワンタイムパスワードを生成する。これにより、見学予定時間の時間範囲内で見学者が認証コードを使用できるため、パスワードの柔軟な運用が可能となる。なお、認証コード生成部１４は、見学予定時間情報と物件ＩＤとに基づいて認証コードを生成してもよい。
【００３４】
送信部１５は、認証コードを見学者の端末装置に送信する。これにより見学者は見学予定時間において使用可能な認証コードを取得できる。
＜＜ハードウェア構成＞＞
【００３５】
図４を参照して、認証サーバ装置１０をコンピュータ１００により実現する場合のハードウェア構成の一例を説明する。なお、それぞれの装置の機能は、複数台の装置に分けて実現することもできる。
【００３６】
図４は、コンピュータのハードウェア構成の一例を示す図である。図１３に示すように、コンピュータ１００は、プロセッサ１０１と、メモリ１０２と、記憶装置１０３と、入力Ｉ／Ｆ部１０４と、データＩ／Ｆ部１０５と、通信Ｉ／Ｆ部１０６、表示装置１０７、および時計装置１０８を含む。
【００３７】
プロセッサ１０１は、メモリ１０２に記憶されているプログラムを実行することでコンピュータ１００における各種の処理を制御する制御部である。
【００３８】
メモリ１０２は、例えばＲＡＭ（Ｒａｎｄｏｍ  Ａｃｃｅｓｓ  Ｍｅｍｏｒｙ）等の記憶媒体である。メモリ１０２は、プロセッサ１０１によって実行されるプログラムのプログラムコードや、プログラムの実行時に必要となるデータを一時的に記憶する。
【００３９】
記憶装置１０３は、例えばハードディスクドライブ（ＨＤＤ）やフラッシュメモリ等の不揮発性の記憶媒体である。記憶装置１０３は、オペレーティングシステム、上記各構成を実現するための各種プログラム、及び上述した各種データベースなどを記憶する。
【００４０】
入力Ｉ／Ｆ部１０４は、管理者からの入力を受け付けるためのデバイスである。入力Ｉ／Ｆ部１０４の具体例としては、キーボードやマウス、タッチパネル、各種センサ、ウェアラブル・デバイス等が挙げられる。入力Ｉ／Ｆ部１０４は、例えばＵＳＢ（Ｕｎｉｖｅｒｓａｌ  Ｓｅｒｉａｌ  Ｂｕｓ）等のインタフェースを介してコンピュータ１００に接続されても良い。
【００４１】
データＩ／Ｆ部１０５は、コンピュータ１００の外部からデータを入力するためのデバイスである。データＩ／Ｆ部１０５の具体例としては、各種記憶媒体に記憶されているデータを読み取るためのドライブ装置等がある。データＩ／Ｆ部１０５は、コンピュータ１００の外部に設けられることも考えられる。その場合、データＩ／Ｆ部１０５は、例えばＵＳＢ等のインタフェースを介してコンピュータ１００へと接続される。
【００４２】
通信Ｉ／Ｆ部１０６は、コンピュータ１００の外部の装置と有線又は無線により、インターネットＮを介したデータ通信を行うためのデバイスである。通信Ｉ／Ｆ部１０６は、コンピュータ１００の外部に設けられることも考えられる。その場合、通信Ｉ／Ｆ部１０６は、例えばＵＳＢ等のインタフェースを介してコンピュータ１００に接続される。
【００４３】
表示装置１０７は、各種情報を表示するためのデバイスである。表示装置１０７の具体例としては、例えば液晶ディスプレイや有機ＥＬ（Ｅｌｅｃｔｒｏ−Ｌｕｍｉｎｅｓｃｅｎｃｅ）ディスプレイ、ウェアラブル・デバイスのディスプレイ等が挙げられる。表示装置１０７は、コンピュータ１００の外部に設けられても良い。その場合、表示装置１０７は、例えばディスプレイケーブル等を介してコンピュータ１００に接続される。また、入力Ｉ／Ｆ部１０４としてタッチパネルが採用される場合には、表示装置１０７は、入力Ｉ／Ｆ部１０４と一体化して構成することが可能である。
【００４４】
時計装置１０８は、時を刻む時計部（不図示）と、日付・時刻情報を含む標準電波を受信する電波受信部１０８ａとを含み、該電波受信部１０８ａによって時計部の時刻を自動補正する機能を有する装置である。
＝＝＝錠装置２０の構成＝＝＝
＜＜機能構成＞＞
【００４５】
図５は、錠装置２０の機能構成の一例を示す図である。図５を参照して、錠装置２０の機能構成について説明する。なお、本実施形態において、錠装置２０は全ての機能が一の装置に備えられる場合について説明するが、錠装置２０の機能の一部が分離可能であってもよい。
【００４６】
錠装置２０は、例えば、記憶部２１、取得部２２、時間補正部２３、照合コード生成部２４、照合部２５、開錠部２６を含む。
【００４７】
記憶部１１は、例えばデバイス情報テーブル２１ａを含む。図６を参照して、デバイス情報テーブル２１ａのデータ構造について説明する。図６は、デバイス情報テーブル２１ａの一例を示す図である。デバイス情報テーブル２１ａは、例えば錠装置２０を識別するデバイスＩＤなどの適宜な項目を主キーとして、デバイス名、製造年月日、種別などからなるレコードの集合体である。デバイス名とは錠装置２０の名称を示すデータである。製造年月日とは錠装置２０が製造された日を示すデータである。種別とは錠装置２０が扉に設けられるタイプのものか南京錠に設けられるタイプのものかなど、錠装置２０の型式を示すデータである。デバイス情報テーブル２１ａは例えば管理者が入力する情報に応じて更新される。
【００４８】
取得部２２は、見学者から入力される各種情報を取得する。
【００４９】
時間補正部２３は、電波受信部で受信する標準電波に基づき時計部の時刻を自動的に補正する。これにより、初期の時刻合わせが不要となるため作業員の手間を軽減でき、正確な時間で後述する照合コードを生成できため、後述する照合部２５は適切に照合処理を実行できる。
【００５０】
照合コード生成部２４は、時間補正部２３で補正された現在時間に関する現在時間情報と、デバイス情報テーブル２１ａを参照して取得したデバイスＩＤとを所定のアルゴリズムに入力して、照合コード（第１コード）を生成する。照合コードの生成は、常時実行されてもよいし、見学者によって入力Ｉ／Ｆ部２８に認証コードが入力されたことを契機に実行されてもよい。照合コードは、例えば現在時間に同期する時間同期型のワンタイムパスワードである。該アルゴリズムは認証コード生成部１４で用いられるアルゴリズムと同じであることが望ましい。これにより、現在時間が認証サーバ装置１０に入力された見学予定時間の範囲内である場合、照合コード生成部２４で生成される照合コードは、認証サーバ装置１０で生成される認証コードと一致する。
【００５１】
照合部２５は、照合コードと、見学者が入力した認証コードとを照合する。照合部２５において照合コードと認証コードとが一致すると判定された場合、見学予定時間に見学者が物件に訪れたと判断し、開錠部２６に処理を移行する。
【００５２】
開錠部２６は、所定の施錠機構を開錠するための開錠信号を出力する。所定の施錠機構については後述する。
＜＜ハードウェア構成＞＞
【００５３】
以下、錠装置２０のハードウェア構成（デバイス）について説明する。なお、錠装置２０は、上述した図４に示す認証サーバ装置１０のハードウェア構成のうち、少なくとも、プロセッサ１０１、メモリ１０２、記憶装置１０３、入力Ｉ／Ｆ部１０４、および時計装置１０８を含み、同じものについてはその説明を省略する。
【００５４】
図７を参照して、錠装置２０のハードウェア構成について説明する。図７は、錠装置２０のハードウェア構成の一例を示す図である。図７に示すように、錠装置２０は、例えば、本体部２７、入力Ｉ／Ｆ部２８、収容部２９を含む。
【００５５】
本体部２７は、錠装置２０の外形を形成する部材である。本体部２７の形成材料は、例えばステンレスなどの金属材料やプラスチック材料であるが、特に限定されない。
【００５６】
入力Ｉ／Ｆ部２８は、少なくとも１〜９の数字が示される例えばスイッチやタッチパネルであり、見学者が認証コードを入力する部材である。
【００５７】
収容部２９は、物件の扉を開錠するための開錠具が収容される部分である。開錠具は例えば鍵やカードである。収容部２９は、例えば、蓋部２９ａと、蓋部２９ａに設けられる施錠機構２９ｂと、蓋部２９ａと本体部２７とで形成される収容領域２９ｃとを有する。施錠機構２９ｂは開錠信号によりロック状態が解除される。これにより、見学者は蓋部２９ａの取っ手を回転させて施錠機構２９ｂを開放し、収容領域２９ｃに載置する開錠具を取得できる。
【００５８】
次に、図８を参照して、錠装置２０が設置される状況について説明する。図８は、錠装置２０の取り付け状況の一例を示す図である。図８に示すように、錠装置２０は例えば物件の扉４００の近傍に設けられる。これにより、見学者は扉４００の近傍で開錠具を取得でき、スムーズに物件内へ入室できる。
【００５９】
次に、図９〜図１２を参照して、錠装置２０の他の例について説明する。
【００６０】
まず、図９に示すように、錠装置２０１は、例えば、本体部２７１、入力Ｉ／Ｆ部２８１を含み、物件の扉４００と一体的に設けられている。この実施形態では、錠装置２０１は扉４００の施錠機構４０１を直接解除する。具体的に述べると、照合部２５において認証コードと照合コードとが一致すると判定された場合、開錠部２６が扉４００の施錠機構４０１に開錠信号を出力し、該開錠信号によって扉４００の施錠機構４０１のソレノイドが励磁され、該施錠機構４０１のロック状態が解除される。これにより、見学者は開錠具を使用せず物件内へ入室できるため、鍵を紛失するなどの問題を回避できる。なお、本体部２７１と入力Ｉ／Ｆ部２８１については錠装置２０の本体部２７と入力Ｉ／Ｆ部２８と同じであるためその説明を省略する。
【００６１】
次に、図１０に示すように、錠装置２０２は、例えば、本体部２７２、入力Ｉ／Ｆ部２８２を含み、本体部２７２が南京錠を形成している。具体的に述べると、照合部２５において認証コードと照合コードとが一致すると判定された場合、開錠部２６が本体部２７２の施錠機構２７２ａに開錠信号を出力し、該開錠信号によって本体部２７２の施錠機構２７２ａのソレノイドが励磁され、該施錠機構２７２ａのロック状態が解除される。これにより開錠具なしに物件内へ入室できるため、鍵を紛失するなどの問題を回避できる。なお、入力Ｉ／Ｆ部２８２については錠装置２０の入力Ｉ／Ｆ部２８と同じであるためその説明を省略する。また、この本実施形態における入力Ｉ／Ｆ部２８２以外の他の構成要素は本体部２７２から分離して設けられていてもよい。
【００６２】
次に、図１１に示すように、錠装置２０３は、例えば、本体部２７３、入力Ｉ／Ｆ部２８３、収容部２９３を含む。本体部２７３と収容部２９３については錠装置２０の本体部２７と収容部２９と同じであるためその説明を省略する。入力Ｉ／Ｆ部２８３は例えば二次元バーコードの読み取り機能を有する。この実施形態では、見学者は認証サーバ装置１０から認証コードを含む二次元バーコードを取得する。錠装置２０３は、照合コードと、二次元バーコードに含まれる認証コードとを照合する。これにより認証コードを数字で表現するよりも、認証コードの漏洩リスクを軽減できる。
【００６３】
次に、図１２に示すように、錠装置２０４は、例えば電波受信部１０８ａが着脱可能に設けられている。この場合、時計部（不図示）は、電波受信部１０８ａと接続された状態で時刻が補正される。電波受信部１０８ａは、例えばＲＪ４５やＲＳ２３２Ｃなどの通信ケーブル１０８ｂで本体部２７４（時計部）に接続される。なお、電波受信部１０８ａは本体部２７４のスロット（不図示）に挿入される態様でもよい。
＝＝＝錠装置２０の処理フロー＝＝＝
【００６４】
図１３を参照して、錠装置２０の処理フローについて説明する。図１３は、錠装置２０の処理の一例を示すフロー図である。本処理フローにおいては、見学者が「１月１０日１２時００分〜１４時００分」（見学予定時間）に物件に訪れる予定で認証サーバ装置１０に登録し、見学者が「１月１０日１２時１０分」（現在時間）に物件に到着した状況を想定する。なお、物件の物件ＩＤを「１００１」とし、錠装置２０のデバイスＩＤを「０００１」とする。
【００６５】
まず、Ｓ１００において、錠装置２０は、現在時間に見学者から認証コードの入力を受け付ける。ここで、認証コードは、見学者が「物件名」と見学予定時間「１月１０日１２時００分〜１４時００分」を認証サーバ装置１０に入力することで生成された、時間同期型のワンタイムパスワードである。より詳しく説明すると、認証サーバ装置１０は、物件情報テーブル１１ａを参照して、「物件名」に対応する物件ＩＤ「１００１」を特定し、物件ＩＤ「０００１」に紐づくデバイスＩＤ「０００１」を特定する。認証サーバ装置１０は、特定されたデバイスＩＤ「０００１」と見学予定時間「１月１０日１２時００分〜１４時００分」とに基づいて、認証コードを生成する。
【００６６】
次に、Ｓ１０１において、錠装置２０は、標準電波に基づき補正された現在時間「１月１０日１２時１０分」と自己のデバイスＩＤ「０００１」とで照合コードを生成する。ここで、錠装置２０において照合コードを生成するアルゴリズムと、認証サーバ装置１０において認証コードを生成するアルゴリズムは同じものであることが望ましい。
【００６７】
次に、Ｓ１０２において、錠装置２０は、照合コードと認証コードとを照合し、照合コードと認証コードとが一致するか否かを判定する。本処理フローでは、現在時間「１月１０日１２時１０分」が見学予定時間「１月１０日１２時００分〜１４時００分」の範囲内にある。このため、錠装置２０で生成される照合コードは、見学者が取得した認証サーバ装置１０で生成された認証コードと一致する。一致すると判定された場合（Ｓ１０３：一致）、Ｓ１０３に処理を移行する。仮に一致しないと判定された場合（Ｓ１０３：不一致）、照合コードと認証コードとが一致しない旨を見学者に通知し、Ｓ１００から処理を繰り返す。
【００６８】
次に、Ｓ１０３において、錠装置２０は、所定の施錠機構に開錠信号を出力する。これにより、上述した通り施錠機構の例えばソレノイドが励磁されてロック状態が解除される。
【００６９】
なお、上記に替えて、見学者が見学予定時間として「１月１０日１２時００分」に物件に見学するという時刻の内容で認証サーバ装置１０に登録してもよいし、「１月１０日１２時００分〜１月１２日１２時００分」という期間の内容で認証サーバ装置１０に登録してもよい。この場合、錠システム１は、該時刻や期間を指定して認証サーバ装置１０の認証コード生成部１４で生成された照合コードと、該時間幅や期間内に錠装置２０の照合コード生成部２４で生成された認証コードとが、同じパスワードになるよう設定される。
＝＝＝まとめ＝＝＝
【００７０】
本実施形態における錠装置２０は、デバイスに関するデバイスＩＤと、標準電波に基づいて時間が補正される時計部から取得した現在時間を示す現在時間情報と、に基づいて、照合コード（第１コード）を生成する照合コード生成部２４（第１コード生成部）と、照合コード生成部２４で生成された照合コードと、現在時間において物件の見学者（デバイスを操作する操作者）が入力Ｉ／Ｆ部２８に入力した認証コード（第２コード）と、を照合する照合部２５と、照合部２５において照合コードと認証コードとが一致すると判定された場合、所定の施錠機構を開錠する開錠部２６と、を備える。本実施形態によると、錠装置２０の識別符号と例えば標準電波に基づき補正された現在時間とに基づいてワンタイムパスワードが生成される。このため、作業員による時刻合わせなどの手間を軽減でき、正確な時刻で物件の鍵を見学者に取得させるため、パスワードの安全な運用を実現でき、管理者が鍵を見学者に渡す手間を軽減できる。
【００７１】
また、本実施形態における錠装置２０で用いる認証コードは、デバイスＩＤ（又は物件ＩＤ）と、物件を見学する見学者の見学予定（操作予定）の見学予定時間を示す見学予定時間情報と、に基づいて生成されたコードである。本実施形態によると、見学者が見学予定時間に基づいて認証コード（ワンタイムパスワード）を取得し、見学時に認証コードを用いて鍵を入手できるため、パスワードの安全な運用を実現できると共に、見学者のなりすましを防止できる。
【００７２】
また、本実施形態における錠装置２０は、物件の扉４００を開錠するための開錠具を収容する収容部２９をさらに備え、開錠部２６は、照合部２５において照合コードと認証コードとが一致すると判定された場合、収容部２９に設けられる所定の施錠機構２９ｂを開錠する。本実施形態によると、錠装置２０と収容部２９とが一体で形成されているため、製造コストを縮減できる。
【００７３】
また、本実施形態における錠装置２０１，２０２の開錠部２６は、照合部２５において照合コードと認証コードとが一致すると判定された場合、物件の扉４００または南京錠の本体部２７２に設けられる所定の施錠機構４０１，２７２ａを開錠する。本実施形態によると、鍵を用いずに施錠機構を開錠できるため、鍵の受け渡しに係る管理者の手間を縮減できる。
【００７４】
また、本実施形態における錠装置２０は、時計部（不図示）と、標準時の信号を含む電波を受信し、時計部を補正する電波受信部１０８ａをさらに備える。本実施形態によると、定期的に標準時の信号を含む電波に基づき時刻を補正できるため正確な時刻を保持し続けることができ、正確な時刻に基づきワンタイムパスワードを生成できるため、照合部２５における処理を正確に実行できる。
【００７５】
また、本実施形態における錠装置２０４の電波受信部１０８ａは、時計部（又は本体部２７４）に着脱可能に設けられる。本実施形態によると、電波受信部１０８ａを複数の錠装置２０４に対して利用できるため、製造コストを縮減できる。
【００７６】
また、本実施形態における錠システム１は、錠装置２０と、デバイスに関連するデバイスＩＤ（又は物件ＩＤ）と、物件を見学する見学者の見学予定の見学予定時間を示す見学予定時間情報（第２時間情報）と、に基づいて、認証コードを生成する認証サーバ装置１０とを備える。本実施形態によると、認証サーバ装置１０と錠装置２０とは通信せずに、錠装置２０はオフラインで運用できるため、システム管理が容易となる。
【符号の説明】
【００７７】
１…錠システム、１０…認証サーバ装置、１４…認証コード生成部、２０，２０１，２０２，２０３，２０４…錠装置、２４…照合コード生成部、２５…照合部、２６…開錠部、２９…収容部、２９ｂ，２７２ａ，４０１…施錠機構、１０８ａ…電波受信部。
【要約】
【課題】  時間に応じて自動的に変更されるパスワードを見学者に付与することによって、パスワードを与えられた見学者が所定の時間に鍵を取得できることとする。
【解決手段】  デバイスに関する第１識別情報と、標準時の信号を含む電波に基づいて時間が補正される時計部から取得する第１時間を示す第１時間情報と、に基づいて、第１コードを生成する第１コード生成部と、前記第１コード生成部で生成された前記第１コードと、前記第１時間において前記デバイスの操作者が入力部に入力した第２コードと、を照合する照合部と、前記照合部において前記第１コードと前記第２コードとが一致すると判定された場合、所定の施錠機構を開錠する開錠部と、を備える。
【選択図】図７【図１】
0006678802.tif 000002
【図２】
0006678802.tif 000003
【図３】
0006678802.tif 000004
【図４】
0006678802.tif 000005
【図５】
0006678802.tif 000006
【図６】
0006678802.tif 000007
【図７】
0006678802.tif 000008
【図８】
0006678802.tif 000009
【図９】
0006678802.tif 000010
【図１０】
0006678802.tif 000011
【図１１】
0006678802.tif 000012
【図１２】
0006678802.tif 000013
【図１３】
0006678802.tif 000014